【事件の表示】
　特願２００４−　４３８６１「記録用媒体」拒絶査定不服審判事件〔平成１６年　９月３０日出願公開、特開２００４−２６８５７７〕について、次のとおり審決する。
【結　論】
　本件審判の請求は、成り立たない。
【理　由】
１．手続の経緯・本願発明 
　　　　　
　本願は、平成１６年２月２０日（優先権主張；平成１５年２月２１日）の出願であって、平成２０年６月２日付拒絶理由通知に対し、同年８月５日付で意見書、手続補正書が提出され、同年９月１１日付で拒絶査定がなされ、これに対し、同年１０月２０日付で拒絶査定に対する審判請求がなされたものであり、その請求項１に係る発明は、同年８月５日付手続補正書により補正された明細書の特許請求の範囲・請求項１に記載された次のとおりのものと認める。（以下「本願発明」という。）
　　　　　　　　
　「【請求項１】
アセト酢酸エステル基含有ポリビニルアルコール系樹脂（Ａ）、クロロヒドロキシオキソジルコニウム（Ｂ）、平均粒子径が５〜５０μｍの無機質粉体（Ｃ）を含有する塗工液を基材表面に塗布してなることを特徴とする記録用媒体。」
（平成２０年８月５日付手続補正書による補正では「無機質紛体（Ｃ）」と表記されていたが、明らかな誤記であるから上記のごとく認定した。；当審注）
　　　　　　　　
２．引用刊行物記載の発明
　　　　　　　　
２−１．刊行物１
これに対して、原査定の拒絶の理由に引用文献２として引用された特開２００１−２１３０４５号公報（以下、「刊行物１」という。）には、次の事項が記載されている。
　　　　　　　　
《１ａ》「【特許請求の範囲】
【請求項１】（Ａ）アセト酢酸エステル基含有ポリビニルアルコール系樹脂および（Ｂ）還元剤を含有する樹脂組成物が、基材中及び／又は基材表面の塗工層中に含有されてなることを特徴とするインクジェット用記録媒体。
・・・
【請求項４】 （Ｂ）還元剤が、亜硫酸水素塩、亜ジチオン酸塩、（次）亜リン酸塩、ヒドラジン化合物、スルフィド類、アミノ酸類、クエン酸から選ばれる少なくとも１種であることを特徴とする請求項１〜３いずれか記載のインクジェット用記録媒体。」
　　　　　
《１ｂ》「【発明の詳細な説明】
【０００１】【発明の属する技術分野】
本発明は、インクジェット用記録媒体に関し、更に詳しくは、耐変色性、インクの吸収性、耐フェザリング性、耐湿性等に優れたインクジェット用記録媒体に関する。」
　　　　　　　　
《１ｃ》「【００１４】・・・本発明においては、上記の如き（Ａ）ＡＡ化ＰＶＡ及び（Ｂ）還元剤を含有する樹脂組成物を用いるのであるが、更に、トップコート層の耐水性の向上を目的として、耐水化剤を含有させることも好ましく、かかる耐水化剤としては、グリオキザール、尿素樹脂、・・・イソシアネート等を挙げることができ、好適にはグリオキザールが用いられる。」
　　　　　
《１ｄ》「【００１５】また、後述する含浸（含有）及び／又は塗工される基材の中でも、白色度を高める等の場合は、該樹脂組成物中に無機微粒子が配合されていることが好ましく、かかる無機微粒子としては、合成シリカ、コロイダルシリカ、アルミナ等を挙げることができ、好適には合成シリカやコロイダルシリカなどのケイ素化合物が用いられる。また、かかる無機微粒子の形状としては、球状、粒状、パウダー状、数珠状等が挙げられ、その平均粒子径としては、０．０１〜５０μｍ（更には０．０５〜３０μｍ、特に０．１〜２０μｍ）が好ましく、かかる粒子径が０．０１μｍ未満では塗工液の流動性が悪いため塗りにくく、またインクドット径が小さく、印画濃度が低くなり、逆に５０μｍを越えると平滑性が低下し、表面がざらついた状態となって好ましくない。」
　　　　　
《１ｅ》「【００２２】実施例１
ＡＡ化ＰＶＡ［平均重合度１７００、ケン化度９４モル％、アセト酢酸エステル基含有量４．０モル％、酢酸ナトリウム含有量０．０３％］５部を水２３４．７５部に溶解させた後、
非晶質の合成シリカ
粒子径：４．５μｍ
グリオキザール
【００２３】次いで、得られた樹脂組成物の水溶液を塗工液とし、該塗工液を坪量１００ｇ／ｍ２の上質紙に、５００μｍのアプリケーターで塗工し、その後円筒回転式ドライヤーにて１０５℃で２分間乾燥させて、本発明のインクジェット用記録媒体を得た。
・・・
【００３４】実施例８
実施例１において、還元剤として０．１５％の
ヒドラジン
　　　　　　
《１ｆ》
転記を省略した〔表１〕には、水性インクジェット記録を行っての性能評価で、実施例８で得られたインクジェット用記録媒体に、インクジェットプリンター（セイコーエプソン社製「ＰＭ−７７０Ｃ」）にてベタ印字を行って、評価を行ったところ、耐変色性、インクの吸収性、耐フェザリング性、耐湿性の評価項目ですべて良好であったことが示されている。
　　　　　　
・上記の事項から、刊行物１には、実施例８を始めとして、下記のようなインクジェット用記録媒体の発明が開示されていると認められる。
（以下、「刊行物１発明」という。） 
　　　　　　
「アセト酢酸エステル基含有ポリビニルアルコール系樹脂、平均粒子径が４．５μｍの非晶質合成シリカ粉体のほか、グリオキザールやヒドラジンを含有する塗工液を上質紙の表面に塗布してなるインクジェット用記録用媒体。」
　　　
２−２．刊行物２
・原査定の拒絶の理由に引用文献３として引用された特開２００２−３０７８１８号公報（以下、「刊行物２」という。）には、次の事項が記載されている。
　　　
《２ａ》「【発明の詳細な説明】
【０００１】
【発明の属する技術分野】本発明は、基材と前記基材上に設けたインク受理層とを備えたインクジェット記録媒体に係り、より詳細には、シアンブロンジング問題のなく、耐光性、耐水性、発色性に優れたインクジェト記録媒体に関する。」
  　　　
《２ｂ》「【００３９】本発明は、上記親水性ポリマーと共に架橋剤（硬膜剤）を用いることが好ましい。架橋剤の具体的な例としては、ホルムアルデヒド、グルタルアルデヒドの如きアルデヒド系化合物、・・・硫酸ジルコニウム、ほう酸及びほう酸塩の如き無機架橋剤等があり、これらを１種又は２種以上組み合せて用いることができる。・・・
【００４３】本発明に用いられる酸塩化ジルコニウム系活性無機ポリマーとしては、特許公報第２，９４４，１４３号公報に開示されている化合物が挙げられる。例えば、第一希元素化学工業（株）からジルコゾールＺＣ−２という商品名で市販されており、入手することができる。」
　　　　　　
２−３．刊行物３
・原査定の拒絶の理由に引用文献５として引用された特開平５−８５０３３号公報（以下、「刊行物３」という。）には、次の事項が記載されている
　　　　　　　　
《３ａ》「【発明の詳細な説明】
【０００１】
【産業上の利用分野】本発明は、水性インクによるインクジェット記録に適した被記録材に関し、特に記録時のインク受容性及び記録画質に優れ、更に紙を基材に用いた際に生じやすかったインキ吸収による用紙のボコツキを防止した被記録材に関するものである。」　
　　　　　
《３ｂ》「【００２８】本発明者等は、更に研究を重ねた結果、キセロゲル系多孔性顔料を含有する中間層用塗液中にジルコニウム塩類を添加したとき、記録時のボコツキを更に改良できることを見出した。恐らく、ジルコニウム塩の添加によって、中間層の構造保持性が強化され、水性インク媒体を吸収したときの、基紙の変形を抑えるため達成されると考えられる。
【００２９】中間層用塗液に添加されるジルコニウム塩としては、・・・
ＺｒＯ（ＯＨ）Ｃｌ・ｎＨ２Ｏ、・・・等が例示できる。
【００３０】また、酸塩化ジルコニウム系活性無機ポリマーとして、例えばジルコゾールＺＣ−２という商品名で第一稀元素化学工業（株）から市販されているジルコニウム塩も有効であり、特にこの酸塩化ジルコニウム系活性無機ポリマーは、本発明に適用して効果が顕著なため好ましく使用されるジルコニウム塩である」
　　　　
３．対比 
・本願発明と刊行物１発明とを対比するに、刊行物１の「非晶質合成シリカ粉体」、「インクジェット用記録媒体」、「上質紙」は、それぞれ、本願発明の「無機質粉体」、「記録媒体」、「基材」に相当する。
そして、刊行物１発明の「グリオキザール」は、本願発明で好適な配合成分とされる有機系の架橋剤（本願明細書２３段落参照）であるし、「ヒドラジン」も同様の架橋剤に相当する。一方、本願発明で必須配合成分とされる「クロロヒドロキシオキソジルコニウム」は、本願明細書の【背景技術】（３段落）や２３段落で説明されている「無機系架橋剤」の「ジルコニウム化合物（ハロゲン化物、硫酸塩、有機酸塩）」に該当する。
　　　　　
・よって、本願発明と刊行物１発明とは、
「アセト酢酸エステル基含有ポリビニルアルコール系樹脂（Ａ）、無機質粉体（Ｃ）、架橋剤を含有する塗工液を基材表面に塗布してなる記録用媒体。」である点で一致し、以下の点で一応相違している。 
　　　　　　　
・［相違点１］
無機質粉体の平均粒子径について、本願発明では、「５〜５０μｍ」と規定しているのに対して、刊行物１発明では、４．５μｍのものを使用している点。
・［相違点２］
架橋剤について、本願発明では無機系架橋剤のジルコニウム化合物のうち、特に「クロロヒドロキシオキソジルコニウム」を選択し、必須配合成分と規定しているのに対して、刊行物１発明では、該無機ジルコニウム系架橋剤の配合を規定せず「グリオキザール」等の架橋剤を使用している点。
　　　　　
４．判断 
４−１．［相違点］についての検討
・まず、［相違点１］について検討する。 
刊行物１発明では、無機質粉体の平均粒子径について、塗工液の作業性から０．１μｍ未満の微細すぎるものは不適であり、塗工面の平滑性を損なう５０μｍ超の粗すぎるものも不適とされ（上掲《１ｄ》参照）４．５μｍ径のものが使用されているにすぎないので、４．５μｍ径に限られるものでは無い。
・一方、本願発明では、５μｍ径の実施例があるのみで、数値規定の臨界的な意義は特に示されていない。してみると、無機質粉体の平均粒子径を５〜５０μｍと規定することは当業者にとって容易であるし、その作用効果も特段のものでは無い。
　　　　　
・次いで、［相違点２］について検討する。
刊行物２、刊行物３に示されている様に（前掲《２ａ》〜《３ｂ》参照）、インクジェット記録媒体のインク受理層に配合する無機系架橋剤ないし無機系硬膜剤として、「クロロヒドロキシオキソジルコニウム」、即ち、第一稀元素化学工業（株）製「ジルコゾールＺＣ−２」（本願明細書１４段落参照）は、よく知られているものであるし、塗工液中には水溶性ポリマー（被架橋物）が主要成分としてかなり多く含まれているものであるから、刊行物１発明で、「グリオキザール」等架橋剤の代替として、或いは、該架橋剤との併用として、「クロロヒドロキシオキソジルコニウム」を配合する構成とすることは、当業者にとって容易であるし、塗工層の表面強度や印字後の耐水強度の作用効果も、架橋密度が上がる等から予測される範囲のものに過ぎない。
・結局、本願発明は、刊行物１〜３に記載された発明に基づいて当業者が容易に発明をすることができたものである。
　　　　
４−２．請求人の主張について
・請求人は、審判請求理由や、意見書に於いて、アセト酢酸エステル基含有ポリビニルアルコール系樹脂（Ａ）、クロロヒドロキシオキソジルコニウム（Ｂ）、平均粒子径が５〜５０μｍの無機質粉体（Ｃ）という特定の３成分の組み合わせにより、剥離強度が大きい等の特異で大きな効果が得られる旨強調している。
　しかし、実施例１・２が比較例３に比して剥離強度が大きい理由は、無機質粉体（Ｃ）の平均粒子径が１２ｎｍと小さいことによるというよりは樹脂（Ａ）の重合度が比較例３では５００と極端に小さいことによると推察される等、本願明細書の実施例・比較例の内容が乏しいから、「特定３成分の組み合わせによる特異で大きな効果」が明細書で裏付けられているとは認められない。
・請求人は、審判請求理由や、意見書に於いて、アセト酢酸エステル基含有ポリビニルアルコール系樹脂（Ａ）とクロロヒドロキシオキソジルコニウム（Ｂ）との組み合わせが、いずれの刊行物にも記載されていないから、本願発明を構成することは容易でない旨主張している。　
　しかし、クロロヒドロキシオキソジルコニウム（Ｂ）は、本願発明の出願前から水溶性ポリマーなどの高分子化合物用の硬化剤として市販されている薬剤であるし（本願明細書１４段落や引用例２・３など参照）、アセト酢酸エステル基含有ポリビニルアルコール系樹脂（Ａ）は、数％の水酸基がアセト酢酸エステル基で置換されているものの残りの九十数％は、水酸基と前駆体由来の残基であって、水溶性ポリマーの性質を先ず基本的に有しているものであるから、（Ａ）と（Ｂ）との組み合わせを試みることは、当業者にとって困難ではない。
　　　　　　
・したがって、出願人の上記主張は採用できず、刊行物１に示されない相違点の構成や効果は、上記４−１．にて検討した程度のものと認めざるを得ないので、本願発明は、刊行物１〜３に記載された発明に基づいて当業者が容易に発明をすることができたものである。
　　　　　　
５．むすび 
　　　　　　
・以上のとおり、本願の請求項１に係る発明は、刊行物１〜３に記載された発明に基づいて当業者が容易に発明をすることができたものであるから、特許法第２９条第２項の規定により特許を受けることができない。 
　したがって、その他の請求項に係る発明について検討するまでもなく、
本願は拒絶すべきものである。 
　よって、結論のとおり審決する。